(57)【特許請求の範囲】
【請求項１】
無線ネットワークにおける基地局が加入者端末を確認する方法であって、
端末識別子（ＳＴＩＤ）が複数の加入者端末の中で共有されるか否かを判断するステップと、
前記複数の加入者端末が前記ＳＴＩＤを共有する場合、前記複数の加入者端末に相異なる帯域幅要請（ＢＲ）インデックスを割り当てるステップと、
前記加入者端末から接続メッセージ（access message）が受信され、前記接続メッセージが前記相異なるＢＲインデックスの中で割り当てられたＢＲインデックスと前記共有されたＳＴＩＤを含む場合、前記割り当てられたＢＲインデックスと前記共有されたＳＴＩＤに基づいて前記加入者端末を確認するステップと、を含むことを特徴とする方法。
【請求項２】
前記相異なる帯域幅要請（ＢＲ）インデックスは、予め定められた帯域幅要請（ＢＲ）インデックスから割り当てられることを特徴とする請求項１に記載の方法。
【請求項３】
前記接続メッセージで受信されたＳＴＩＤが前記加入者端末に固有に割り当てられた場合、前記固有に割り当てられたＳＴＩＤに基づいて前記加入者端末を識別するステップをさらに含むことを特徴とする請求項１に記載の方法。
【請求項４】
無線ネットワークにおける基地局であって、
加入者端末から端末識別子（ＳＴＩＤ）と帯域幅要請（ＢＲ）インデックスを含む接続メッセージ（access message）を受信する受信機と、
前記ＳＴＩＤが複数の加入者端末の中で共有されるか否かを判断し、前記複数の加入者端末が前記ＳＴＩＤを共有する場合、前記複数の加入者端末に相異なる帯域幅要請（ＢＲ）インデックスを割り当て、前記加入者端末から前記接続メッセージが受信され、前記接続メッセージが前記相異なるＢＲインデックスの中で割り当てられたＢＲインデックスと前記共有されたＳＴＩＤを含む場合、前記割り当てられたＢＲインデックスと前記共有されたＳＴＩＤに基づいて前記加入者端末を確認する制御部と、を含むことを特徴とする基地局。
【請求項５】
前記制御部は、予め定められた帯域幅要請（ＢＲ）インデックスから前記相異なる帯域幅要請（ＢＲ）インデックスを割り当てることを特徴とする請求項４に記載の基地局。
【請求項６】
前記制御部は、前記接続メッセージで受信されたＳＴＩＤが前記加入者端末に固有に割り当てられた場合、前記固有に割り当てられたＳＴＩＤに基づいて前記加入者端末を識別することを特徴とする請求項４に記載の基地局。
【請求項７】
無線ネットワークにおける加入者端末が帯域幅要請（ＢＲ）手続を実行する方法であって、
基地局から割り当てられた端末識別子（ＳＴＩＤ）及びＢＲインデックスを受信するステップと、
前記基地局に前記ＳＴＩＤと前記ＢＲインデックスを含む接続メッセージを転送するステップと、を含み、
ここで、前記加入者端末は、前記接続メッセージで前記ＳＴＩＤと前記ＢＲインデックスに基づいて前記基地局により識別され、
ここで、複数の加入者端末が前記ＳＴＩＤを共有する場合、前記基地局により前記複数の加入者端末に相異なるＢＲインデックスが割り当てられることを特徴とする方法。
【請求項８】
前記相異なる帯域幅要請（ＢＲ）インデックスは、予め定められた帯域幅要請（ＢＲ）インデックスから割り当てられることを特徴とする請求項７に記載の方法。
【請求項９】
前記接続メッセージに含まれたＳＴＩＤが前記加入者端末に固有に割り当てられた場合、前記加入者端末は、前記固有に割り当てられたＳＴＩＤに基づいて前記基地局により識別されることを特徴とする請求項７に記載の方法。
【請求項１０】
無線ネットワークにおける加入者端末であって、
基地局と通信するための送受信機と、
前記基地局から割り当てられた端末識別子（ＳＴＩＤ）及びＢＲインデックスを受信し、前記基地局への前記ＳＴＩＤと前記ＢＲインデックスを含む接続メッセージの転送を制御する制御部と、を含み、
ここで、前記加入者端末は、前記接続メッセージで前記ＳＴＩＤと前記ＢＲインデックスに基づいて前記基地局により識別され、
ここで、複数の加入者端末が前記ＳＴＩＤを共有する場合、前記基地局により前記複数の加入者端末に相異なるＢＲインデックスが割り当てられることを特徴とする加入者端末。
【請求項１１】
前記相異なる帯域幅要請（ＢＲ）インデックスは、予め定められた帯域幅要請（ＢＲ）インデックスから割り当てられることを特徴とする請求項１０に記載の加入者端末。
【請求項１２】
前記接続メッセージに含まれたＳＴＩＤが前記加入者端末に固有に割り当てられた場合、前記加入者端末は、前記固有に割り当てられたＳＴＩＤに基づいて前記基地局により識別されることを特徴とする請求項１０に記載の加入者端末。
【発明の詳細な説明】
【技術分野】
【０００１】
本発明は移動広帯域システムの分野に関し、より詳しくは、広帯域ネットワーク環境における帯域幅要請手続の間の加入者端末を識別することに関する。
【背景技術】
【０００２】
移動広帯域システムは、各々の基地局の通信可能領域（coverage  area）の内で加入者端末に無線連結性（wireless  connectivity）を提供するように地理的な地域（geographical  region）に亘って配置される１つ以上の基地局からなる無線通信システムである。上記移動広帯域システムは、ＩＥＥＥ  ８０２．１６基盤のワイマックス（ＷｉＭＡＸ）標準及びＩＥＥＥ  ８０２．１６ｍへの上記移動広帯域システムの進化のような多様な標準に基づいて、一般的に１つ以上の基地局を通じて加入者端末に音声、パケットデータなどの多様な類型のサービスを提供する。一般に、上記無線通信ネットワークでの各基地局は、上記移動広帯域ネットワークによりサービスが提供される上記地理的な地域内で動作する加入者端末に多様な類型のサービス（例えば、音声、データ、マルチメディアサービスなど）を提供するように構成される。
【０００３】
移動広帯域システムで、加入者端末が基地局と共にネットワーク入場（network  entry）を遂行する時、上記基地局は上記加入者端末にアドレスを割り当てる。一般に、上記基地局は加入者端末に１２ビットの端末識別子（ＳＴＩＤ）を割り当てる。時々、上記基地局は、地理的な地域内の多数の加入者端末をサポートするために、複数の加入者端末に同一な端末識別子を割り当てることができる。また、上記基地局は、上記同一な端末識別子が割り当てられた上記加入者端末を固有に識別するために、上記端末識別子と共に特定時間間隔（例えば、フレーム間隔）を割り当てることができる。いつも上記基地局は、資源を割り当てて、加入者端末と制御情報を交換するために、加入者端末に１２ビットの端末識別子を割り当てる。
【０００４】
現在、上記基地局は３段階帯域幅要請（ＢＲ）手続を通じて加入者端末に資源を割り当てる。例えば、１つの３段階帯域幅要請手続において、加入者端末は、上記基地局とデータを交換するために資源の割当てを要請する任意に選択された帯域幅要請機会で上記基地局に帯域幅要請を行なう。上記帯域幅要請は、プリアンブルシーケンス（preamble  sequence）及び高速接続メッセージ（quick  access  message）を含む。上記高速接続メッセージは、上記加入者端末に割り当てられた１２ビットの端末識別子及び４ビットの帯域幅要請インデックスで構成される。上記基地局は、上記プリアンブルシーケンス及び上記高速接続メッセージを成功的に復号化すると直ちに帯域幅要請Ａマップ情報要素（BR  ACK  A  MAP  IE）メッセージに確認（acknowledgment）を転送する。次に、上記基地局は、上記高速接続メッセージに要請されたように、上記加入者端末にアップリンク承認（uplink  grant）を上記加入者端末に転送する。したがって、上記加入者端末は、上記基地局へのデータの転送に上記アップリンク承認を用いる。
【０００５】
上記基地局が上記高速接続メッセージを復号化できなく、上記プリアンブルシーケンスを成功的に復号化する時、上記基地局は、上記加入者端末に端末識別子ヘッダを有する帯域幅要請を転送するための資源を与える。その結果、上記加入者端末は、上記資源を用いて端末識別子ヘッダを有する帯域幅要請を転送する。上記基地局は、端末識別子ヘッダを有する上記帯域幅要請を受信すると直ちに上記加入者端末にアップリンク承認を転送する。したがって、上記加入者端末は、上記基地局へのデータの転送に上記アップリンク承認を用いる。
【０００６】
しかしながら、その他の加入者端末と端末識別子を共有する加入者端末が、任意に選択された帯域幅要請機会で上記基地局にプリアンブルシーケンス及び高速接続メッセージを転送する時、上記基地局は、上記端末識別子を用いて資源の割当てを要請していた上記加入者端末を固有に識別できない。これは、２つ以上の加入者端末が上記基地局により同一な端末識別子の割当てを受けたためである。たとえ、上記基地局が同一な端末識別子を共有するその他の加入者端末から上記加入者端末を固有に識別するために上記端末識別子と共に特定時間間隔を割当てたとしても、高速接続メッセージはサイズ制限（size  constraints）によって上記加入者端末と連係された上記特定時間間隔を有することができない。その結果、上記基地局は、上記地理的な地域でその他の加入者端末と同一な端末識別子を共有する上記加入者端末に資源承認（resource  grant）を割当てできないこともある。
【発明の概要】
【発明が解決しようとする課題】
【０００７】
従来技術の上記で論議された短所を解決するために、本発明の一態様は、帯域幅要請手続の間加入者端末を識別するための方法及び装置を提供する。
【課題を解決するための手段】
【０００８】
本発明の一態様によれば、広帯域ネットワーク環境で加入者端末に帯域幅要請を割り当てるための方法が提供される。上記方法は、端末識別子（ＳＴＩＤ）が複数の加入者端末の中で共有されるか否かを基地局により判断するステップを含む。また、上記方法は上記端末識別子が上記複数の加入端末の中で共有されれば、上記複数の加入者端末の各々と連係された１つ以上の連結に帯域幅要請（ＢＲ）インデックスの集合から選択された固有な帯域幅要請インデックスを割り当てて、かつ帯域幅要請インデックスの上記集合は上記端末識別子を共有する上記複数の加入者端末と連係されるステップを含む。上記方法は、上記端末識別子が単一加入者端末に割り当てられれば、上記単一加入者端末と連係された１つ以上の連結に帯域幅要請インデックスの集合から選択された固有な帯域幅要請インデックスを割り当てて、かつ帯域幅要請インデックスの上記集合は上記単一加入者端末と連係された上記固有な端末識別子に対応するステップをさらに含む。
【０００９】
本発明の他の態様によれば、処理器、及び上記処理器に連結されるメモリを含み、かつ上記メモリは帯域幅要請（ＢＲ）インデックス割当てモジュールを含む装置が提供される。上記モジュールは、端末識別子（ＳＴＩＤ）が複数の加入者端末の中で共有されるか否かを判断するように構成される。また、上記モジュールは上記端末識別子が上記複数の加入端末の中で共有されれば、上記複数の加入者端末の各々と連係された１つ以上の連結に帯域幅要請（ＢＲ）インデックスの集合から選択された固有な帯域幅要請インデックスを割り当てて、かつ帯域幅要請インデックスの上記集合は上記端末識別子を共有する上記複数の加入者端末と連係されるように構成される。また、上記モジュールは上記端末識別子が単一加入者端末に割り当てられれば、上記単一加入者端末と連係された１つ以上の連結に帯域幅要請インデックスの集合から選択された固有な帯域幅要請インデックスを割り当てて、かつ帯域幅要請インデックスの上記集合は上記単一加入者端末と連係された上記固有な端末識別子に対応するように構成される。
【００１０】
本発明の他の態様によれば、高速接続メッセージから加入者端末を識別するための方法が提供される。上記方法は、基地局に連結された加入者端末から高速接続メッセージ（quick  access  message）を受信し、かつ上記高速接続メッセージは上記加入者端末に割り当てられる端末識別子（ＳＴＩＤ）及び帯域幅要請（ＢＲ）インデックスを含むステップを含む。また、上記方法は上記高速接続メッセージの内の上記端末識別子が複数の加入者端末に割り当てられるか否かを判断するステップを含む。上記方法は、上記端末識別子が上記複数の加入者端末に割り当てられれば、上記端末識別子と共に上記帯域幅要請インデックスを用いて上記高速接続メッセージと連係された加入者端末を識別するステップをさらに含む。また、上記方法は上記高速接続メッセージに応じて上記識別された加入者端末に対して上記帯域幅要請インデックスにより確認された動作を遂行するステップをさらに含む。
【００１１】
本発明の他の態様によれば、処理器、及び上記処理器に連結されるメモリを含み、かつ上記メモリは加入者端末（ＳＳ）識別モジュールを含む装置が提供される。上記モジュールは、加入者端末から高速接続メッセージ（quick  access  message）を受信し、かつ上記高速接続メッセージは上記加入者端末に割り当てられる端末識別子（ＳＴＩＤ）及び帯域幅要請（ＢＲ）インデックスを含み、及び上記高速接続メッセージの内の上記端末識別子が複数の加入者端末に割り当てられるか否かを判断するように構成される。また、上記モジュールは上記端末識別子が上記複数の加入者端末に割り当てられれば、上記端末識別子と共に上記帯域幅要請インデックスを用いて上記高速接続メッセージと連係された加入者端末を識別し、上記高速接続メッセージに応じて上記識別された加入者端末に対して上記帯域幅要請インデックスにより確認された動作を遂行するように構成される。
【００１２】
本発明の他の態様によれば、高速接続メッセージから加入者端末を識別するための方法が提供される。上記方法は、基地局に連結された加入者端末から高速接続メッセージを受信し、かつ上記高速接続メッセージは上記加入者端末に割り当てられた端末識別子（ＳＴＩＤ）及び端末識別子有効情報と帯域幅要請（ＢＲ）インデックスのうち、少なくとも１つを含むステップを含む。また、上記方法は上記高速接続メッセージの内の上記端末識別子が複数の加入者端末に割り当てられるか否かを判断するステップを含む。上記方法は、上記端末識別子が上記複数の加入者端末に割り当てられれば、上記端末識別子と共に上記端末識別子有効情報を用いて上記高速接続メッセージと連係された加入者端末を識別するステップ、及び上記高速接続メッセージに応じて上記確認された加入者端末に対して動作を遂行するステップをさらに含む。
【００１３】
本発明の他の態様によれば、処理器、及び上記処理器に連結されるメモリを含み、かつ上記メモリは加入者端末（ＳＳ）識別モジュールを含む装置が提供される。上記モジュールは、加入者端末から高速接続メッセージを受信し、かつ上記高速接続メッセージは上記加入者端末に割り当てられた端末識別子（ＳＴＩＤ）及び端末識別子有効情報と帯域幅要請（ＢＲ）インデックスのうち、少なくとも１つを含み、及び上記高速接続メッセージの内の上記端末識別子が複数の加入者端末に割り当てられるか否かを判断する。また、上記モジュールは上記端末識別子が上記複数の加入者端末に割り当てられれば、上記端末識別子と共に上記端末識別子有効情報を用いて上記高速接続メッセージと連係された加入者端末を識別し、上記高速接続メッセージに応じて上記確認された加入者端末に対して動作を遂行するように構成される。
【００１４】
下記の発明の詳細な説明を説明する前に、本特許書類を通じて使われるある単語及び語句の定義を提示することが有利でありえる。用語“含む”だけでなく、その派生語は制限無しで含むことを意味し、用語“または”は包括的であり、及び／又はを意味し、語句“〜と連係された（associated  with）”及び、“それと連係された（associated  therewith）”だけでなく、その派生語は、含む（include）、〜に含まれる（be  included  within）、〜と相互連結される（interconnect  with）、含む（contain）、〜に含まれる（be  contained  within）、〜に連結する（connect  to  or  with）、〜と通信可能である（be  communicable  with）、〜と協力する（cooperate  with）、交差配置する（interleave）、並んで置く（juxapose）、〜に最も近い（be  proximate  to）、~する可能性が大きい（be  bound  to  or  with）、有する（have）、〜の特性を有する（have  a  property  of）、または等等を意図することができ、及び用語“制御器（controller）”は任意の装置（any  device）、システム、または少なくとも１つの動作を制御するその部分を意味し、このような装置（such  a  device）は、ハードウェア、ファームウエア（firmware）、またはソフトウェア、またはそれらのうち、少なくとも２つのある組合により具現できる。任意の特定制御器と連係された上記機能（functionality）は、局部的に（locally）または遠隔で（remotely）集中または分散できる。ある単語及び語句に対する定義は本特許書類を通じて全体的に提供され、本発明の技術分野で普通の知識を有する者は、大部分の場合ではなくても多くの場合でそのような定義が、そのような定義された単語及び語句の未来の用途だけでなく、従来の用途にも適用できるということを理解することができる。
【図面の簡単な説明】
【００１５】
本発明及びその長所のより完全な理解のために、同一な参照番号が同一な部分を表す添付した図面と共になされた次の説明をいま参照する。
【００１６】
【図１】本発明の一実施形態に従う広帯域ネットワークシステムのブロック図である。
【図２Ａ】本発明の一実施形態に従う広帯域ネットワーク環境における加入者端末に帯域幅要請（ＢＲ）インデックスを割り当てるための方法を図示する。
【図２Ｂ】本発明の他の実施形態に従う広帯域ネットワーク環境における加入者端末に帯域幅要請インデックスを割り当てるための方法を図示する。
【図３】広帯域ネットワーク環境における同一な端末識別子（ＳＴＩＤ）を有する加入者端末に対する帯域幅要請インデックスの割当てを図示する。
【図４】本発明の一実施形態に従う高速接続メッセージの内の端末識別子及び帯域幅要請インデックスを用いて加入者端末を識別するための方法を図示する。
【図５】本発明の一実施形態に従う高速接続メッセージを図示する。
【図６】本発明の他の実施形態に従う高速接続メッセージの内の端末識別子（ＳＴＩＤ）及び端末識別子有効情報（STID  validity  information）を用いて加入者端末を識別するための方法を図示する。
【図７Ａ】本発明の他の実施形態に従う高速接続メッセージフォーマットを図示する。
【図７Ｂ】本発明の他の実施形態に従う高速接続メッセージフォーマットを図示する。
【図８】本発明の更に他の実施形態に従う高速接続メッセージの内の端末識別子及び端末識別子有効情報を用いて加入者端末を識別するための方法を図示する。
【図９Ａ】本発明の更に他の実施形態に従う高速接続メッセージフォーマットを図示する。
【図９Ｂ】本発明の更に他の実施形態に従う高速接続メッセージフォーマットを図示する
【図１０】本発明の実施形態を具現するための多様な構成要素を示す基地局のブロック図である。
【００１７】
ここで説明される図面は、単に例示的な目的のためのものであり、どのような方法でも本発明の範囲を制限するように意図されない。
【発明を実施するための形態】
【００１８】
本特許書類での本発明の原則を説明することに用いられる、以下で論議される図１から図１０及び多様な実施形態は単に例示に過ぎないものであり、本発明の範囲を制限するどのような方法でも解釈されてはならない。当業者は、本発明の原則が任意の適合するように配置された無線通信システムで具現できるということを理解することができる。本発明の実施形態の次の詳細な説明で、上記詳細な説明の一部を形成し、本発明が実施できる特定の実施形態の例示として表される添付図面を参照する。この実施形態は、当業者が本発明を実施できるように十分に詳細に説明され、その他の実施形態が活用されることができ、本発明の範囲を逸脱することなく変形がなされることができるということが理解できる。したがって、次の詳細な説明は制約的な意味としてなされるものでなく、本発明の範囲は添付した特許請求範囲のみにより定義される。
【００１９】
上記の書類で、用語“加入者端末”は、広帯域ネットワーク環境で基地局と通信できる、内蔵された（embeded）モデム、及び汎用直列バスドングル（USB  dongle）を有する移動端末及び携帯用コンピュータ（laptop）、消費者過程装備（consumer  process  equipment）、またはある他の装置を含む。
【００２０】
図１は、本発明の一実施形態に従う広帯域ネットワークシステム１００のブロック図である。図１で、上記広帯域ネットワークシステム１００は加入者端末１０２Ａから１０２Ｈ及びネットワーク１０８を介して上記加入者端末１０２Ａから１０２Ｈに連結された基地局１０４を含む。上記加入者端末１０２Ａから１０２Ｈは、レガシー加入者端末（legacy  subscriber  stations）及び機器間装置（M2M  devices）を含むことができる。本発明によれば、上記基地局１０４は帯域幅要請インデックス割当てモジュール１０５及び加入者端末（ＳＳ）識別モジュール１０６を含む。
【００２１】
加入者端末のための新たな連結が設定されている時、上記帯域幅要請インデックス割当てモジュール１０５は、上記加入者端末の上記端末識別子がその他の加入者端末と共有されるか否かを判断する。例えば、図示したように、加入者端末１０２Ａから１０２Ｅ（点で表示された矩形の内の）は、上記加入者端末１０２Ｆが固有な端末識別子の割当てを受ける一方、同一な端末識別子を共有する。上記加入者端末１０２Ａから１０２Ｅが同一な端末識別子を共有すれば、上記帯域幅要請インデックス割当てモジュール１０５は、上記複数の加入者端末１０２Ａから１０２Ｅと連係された区別される（distinct）帯域幅要請インデックスの集合からの固有な帯域幅要請インデックスを割り当てる。これは、上記同一な端末識別子を共有する複数の加入者端末１０２Ａから１０２Ｅに割り当てられた上記帯域幅要請インデックスが相異するということを表す。一実施形態において、上記帯域幅要請インデックス割当てモジュール１０５は、１６個の区別される帯域幅要請インデックスへの集合からの固有な帯域幅要請インデックスを割り当てる。上記基地局１０４が、上記加入者端末１０２Ａの上記帯域幅要請インデックス及び上記端末識別子に基づいて３段階の帯域幅要請手続を通じて資源の割当てを要請する加入者端末を識別するように、上記帯域幅要請インデックスが割り当てられる。したがって、上記固有な帯域幅要請インデックスは、資源割当てを要請する加入者端末を識別するためだけでなく、上記帯域幅要請動作を確認するために用いられる。
【００２２】
固有な帯域幅要請インデックスが利用可能でない時、上記帯域幅要請インデックス割当てモジュール１０５は、上記加入者端末１０２Ａの上記新たな連結のための３段階の帯域幅要請手続を活性化させない。これは、上記加入者端末１０２Ａが上記新たな連結のための資源の割当てを要請することに決定すれば、上記加入者端末１０２Ａが３段階の帯域幅要請手続を通じて上記資源割当てを要請できないということを意味する。
【００２３】
上記加入者端末の上記端末識別子が共有されなければ、上記帯域幅要請インデックス割当てモジュール１０５は、上記加入者端末１０２Ｆと連係された区別される帯域幅要請インデックスの集合からの固有な帯域幅要請インデックスを上記新たな連結に割り当てる。上記複数の加入者端末１０２Ａから１０２Ｅと連係された帯域幅要請インデックスの上記集合と上記単一加入者端末１０２Ｆと連係された帯域幅要請インデックスの上記集合は同一であると考えられている。
【００２４】
ここに、加入者端末１０２Ａから１０２Ｈのうちの１つが上記基地局１０４にデータを転送するための資源の割当てを要請することに決定することを考慮する。そのような状況で、上記加入者端末は、上記加入者端末に割り当てられた端末識別子及び帯域幅要請インデックスを符号化して、任意に選択された帯域幅要請機会に亘ってプリアンブルシーケンス及び高速接続メッセージを転送する。上記基地局１０４の内の上記加入者端末識別モジュール１０６は、上記高速接続メッセージで受信された上記端末識別子が複数の加入者端末１０２Ａから１０２Ｅの中で共有されるか否かを判断する。上記端末識別子が複数の加入者端末１０２Ａから１０２Ｅの中で共有されれば、上記加入者端末識別モジュール１０６は、上記帯域幅要請インデックス及び上記高速接続メッセージで受信された上記端末識別子を用いて上記高速接続メッセージがそれから受信された、上記加入者端末（例えば、加入者端末１０２Ａ）を識別する。したがって、上記加入者端末識別モジュール１０６は、上記識別された加入者端末１０２Ａのための上記帯域幅要請インデックスにより確認された帯域幅要請動作を遂行する。例えば、上記帯域幅要請インデックスにより確認された上記帯域幅要請動作は、上記識別された加入者端末１０２Ａに対する資源の承認（grant  of  resources）を含むことができる。
【００２５】
上記端末識別子が単一加入者端末に割り当てられれば、上記加入者端末識別モジュール１０６は上記加入者端末（例えば、加入者端末１０２Ｆ）を識別し、上記識別された加入者端末のための上記帯域幅要請インデックスにより確認された帯域幅要請動作を遂行する。
【００２６】
図２Ａは、本発明の一実施形態に従う広帯域ネットワーク環境における加入者端末に帯域幅要請（ＢＲ）インデックスを割り当てるための方法を図示するフローチャート（２００）である。ブロック２０２で、加入者端末と上記基地局１０４との間の新たな連結の設定が開始される。一実施形態で、上記新たな連結設定は上記加入者端末により開始される。他の実施形態で、上記新たな連結設定は上記基地局１０４により開始される。
【００２７】
ブロック２０４で、上記加入者端末と連係された端末識別子が複数の加入者端末（例えば、上記複数の加入者端末１０２Ａから１０２Ｅ）の中で共有されるか否かが判断される。上記端末識別子が上記複数の加入者端末１０２Ａから１０２Ｅの中で共有されなければ、ブロック２０６で、帯域幅要請インデックスの集合から選択された固有な帯域幅要請インデックスが、上記加入者端末（例えば、上記加入者端末１０２Ｆ）と連係された上記新たな連結に割り当てられ、ここで帯域幅要請インデックスの上記集合は上記単一加入者端末１０２Ｆと連係され、上記単一加入者端末１０２Ｆの上記端末識別子は他の加入者端末と共有されない。
【００２８】
上記端末識別子が上記複数の加入者端末１０２Ａから１０２Ｅの中で共有されれば、ブロック２０８で、上記同一な端末識別子を有する上記複数の加入者端末１０２Ａから１０２Ｅと連係された帯域幅要請インデックスの集合で固有な帯域幅要請インデックスが利用可能か否かが判断される。上記固有な帯域幅要請インデックスが利用可能であれば、ブロック２１０で、上記固有な帯域幅要請インデックスが、上記加入者端末１０２Ａと連係された上記新たな連結に割り当てられる。上記固有な帯域幅要請インデックスが利用可能でなければ、ブロック２１２で、３段階の帯域幅要請手続が上記加入者端末１０２Ａと上記基地局１０４との間に設定されている上記新たな連結に対して活性化されない。
【００２９】
図２Ｂは、本発明の他の実施形態に従う広帯域ネットワーク環境における加入者端末に帯域幅要請インデックスを割り当てるための方法を図示するフローチャート（２５０）である。ブロック２５２で、加入者端末と上記基地局１０４との間に新たな連結の設定が開始される。一実施形態で、上記新たな連結設定は上記加入者端末により開始される。他の実施形態で、上記新たな連結設定は上記基地局１０４により開始される。
【００３０】
ブロック２５４で、上記加入者端末と上記基地局１０４との間に設定されている新たな連結と同一なスケジューリング類型及び帯域幅要請サイズ（BR  size）を有する上記加入者端末と連係された既存の連結があるか否かが判断される。上記既存の連結が発見されれば、ブロック２５６で、上記既存の連結と連係された上記固有な帯域幅要請インデックスが上記加入者端末と連係された上記新たな連結に割り当てられる。上記既存の連結が発見されなければ、ブロック２５８で、上記加入者端末と連係された端末識別子が複数の加入者端末（例えば、上記複数の加入者端末１０２Ａから１０２Ｅ）の中で共有されるか否かが判断される。上記端末識別子が上記複数の加入者端末１０２Ａから１０２Ｅ）の中で共有されなければ、ブロック２５６で、帯域幅要請インデックスの集合から選択された固有な帯域幅要請インデックスが上記加入者端末（例えば、上記加入者端末１０２Ｆ）と連係された上記新たな連結に割り当てられ、ここで予め定義された帯域幅要請インデックスの上記集合は、上記単一加入者端末１０２Ｆと連係され、上記加入者端末１０２Ｆの上記端末識別子は他の加入者端末と共有されない。
【００３１】
上記端末識別子が上記複数の加入者端末１０２Ａから１０２Ｅの中で共有されれば、ブロック２６２で、上記同一な端末識別子を有する上記複数の加入者端末１０２Ａから１０２Ｅと連係された帯域幅要請インデックスの集合で固有な帯域幅要請インデックスが利用可能か否かが判断される。上記固有な帯域幅要請インデックスが利用可能であれば、ブロック２６４で、上記固有な帯域幅要請インデックスが上記加入者端末と連係された上記新たな連結に割り当てられる。上記固有な帯域幅要請インデックスが利用可能でなければ、ブロック２６６で、３段階の帯域幅要請手続が上記加入者端末１０２Ａと上記基地局１０４との間に設定されている上記新たな連結のために活性化されない。
【００３２】
図３は、広帯域ネットワーク環境における同一な端末識別子を有する加入者端末に対する帯域幅要請インデックスの割当てを図示する図表による表現（tabular  representation）である。加入者端末１０２Ａから１０２Ｅが端末識別子‘Ｘ’の割当てを受けて、３段階の帯域幅要請手続が上記加入者端末１０２Ａから１０２Ｄに対して活性化されることを考慮する。上記帯域幅要請インデックスは、１６個の区別される帯域幅要請インデックスの集合から上記加入者端末１０２Ａから１０２Ｄと連係された連結に割り当てられる。図示したように、上記加入者端末１０２Ａと連係された上記連結は上記予め定義された帯域幅要請インデックス‘０’から‘３’の割当てを受ける。上記加入者端末１０２Ｂと連係された上記連結は、上記予め定義された帯域幅要請インデックス‘４’から‘７’の割当てを受ける。上記加入者端末１０２Ｃと連係された上記連結は、上記予め定義された帯域幅要請インデックス‘８’から‘１１’の割当てを受ける一方、上記加入者端末１０２Ｄと連係された上記連結は、上記予め定義された帯域幅要請インデックス‘１２’から‘１５’の割当てを受ける。したがって、上記加入者端末１０２Ａから１０２Ｄに亘る上記連結は、１６個の区別される帯域幅要請インデックスの上記集合から選択された区別される帯域幅要請インデックスの割当てを受ける。
【００３３】
上記加入者端末１０２Ｅが任意の３段階の帯域幅要請により活性化される連結を有しないので、上記加入者端末１０２Ａから１０２Ｄの端末識別子と同一な端末識別子‘Ｘ’を有する上記加入者端末１０２Ｅが任意の帯域幅要請インデックスの割当てを受けないということが分かる。上記加入者端末１０２Ｆは、上記加入者端末１０２Ａから１０２Ｅと異なる端末識別子を有し、このような理由により、加入者端末１０２Ａから１０２Ｅに割り当てられた任意の帯域幅要請インデックスが上記加入者端末１０２Ｆと連係された連結に割当てできる。したがって、上記同一な端末識別子‘Ｘ’を有する上記複数の加入者端末１０２Ａから１０２Ｅと連係された帯域幅要請インデックスの上記集合と、上記固有な端末識別子‘Ｙ’を有する上記単一加入者端末１０２Ｆと連係された帯域幅要請インデックスの上記集合は、同一な帯域幅要請インデックスを有する。図２Ｂに示すように、２つの連結のスケジューリング類型及び帯域幅要請サイズのような上記媒介変数が同一である時、上記加入者端末１０２Ｆの連結に割り当てられた上記帯域幅要請インデックスは、上記加入者端末１０２Ｆの他の連結に割当てできる。
【００３４】
図４は、本発明の一実施形態に従う高速接続メッセージの内の端末識別子及び帯域幅要請インデックスを用いて加入者端末を識別するための方法を図示するフローチャート（４００）である。ブロック４０２で、高速接続メッセージが加入者端末から受信される。上記高速接続メッセージは、図５に示すように、上記加入者端末に割り当てられる端末識別子５０２及び帯域幅要請インデックス５０４を含む。ブロック４０４で、上記高速接続メッセージに受信される上記端末識別子が複数の加入者端末１０２Ａから１０２Ｅに割り当てられるか否かが判断される。上記端末識別子が単一加入者端末に割り当てられれば、ブロック４０６で、上記高速接続メッセージを転送していた上記加入者端末（例えば、上記加入者端末１０２Ｆ）が上記高速接続メッセージの内の上記端末識別子を用いて識別され、上記高速接続メッセージの内の上記帯域幅要請インデックスにより確認された動作が、ブロック４１０で、上記識別された加入者端末１０２Ｆに対して遂行される。
【００３５】
上記端末識別子が上記複数の加入者端末（例えば、加入者端末１０２Ａから１０２Ｅ）に割り当てられれば、ブロック４０８で、上記高速接続メッセージと連係された上記加入者端末（例えば、加入者端末１０２Ａ）が上記高速接続メッセージで受信された上記端末識別子と共に上記帯域幅要請インデックスを用いて識別される。一部の実施形態で、上記高速接続メッセージで受信された上記帯域幅要請インデックスと連係された上記加入者端末は、上記高速接続メッセージで受信された上記端末識別子を共有する上記複数の加入者端末と識別される。上記加入者端末と連係された上記端末識別子がその他の加入者端末と共有される時、上記基地局が上記固有な帯域幅要請インデックスを用いて上記高速接続メッセージと連係された加入者端末を識別できるように、連結設定の間に上記基地局１０４により上記加入者端末１０２Ａに割り当てられる固有な帯域幅要請インデックスが上記帯域幅要請インデックスである。ブロック４１０で、上記高速接続メッセージで受信された上記帯域幅要請インデックスにより識別された動作が上記識別された加入者端末１０２Ａに対して遂行される。
【００３６】
図６は、本発明の他の実施形態に従う高速接続メッセージと連係された加入者端末を識別するための方法を図示するフローチャート（６００）であり、ここで、上記高速接続メッセージは端末識別子及び帯域幅要請インデックスと端末識別子有効情報のうちの１つを有する。ブロック６０２で、高速接続メッセージが加入者端末から受信される。一実施形態で、上記加入者端末は、上記端末識別子がその他の加入者端末と共有されるか否かに基づいて特定の高速接続メッセージを転送する。上記端末識別子が複数の加入者端末の中で共有されれば、上記高速接続メッセージは、図７Ａに示すように端末識別子７０２及び端末識別子有効情報７０４を含む。しかしながら、上記端末識別子が単一加入者端末に割り当てられれば、上記高速接続メッセージは、図７Ｂに示すように、端末識別子７５２及び上記加入者端末に割り当てられた帯域幅要請インデックス７５４を含む。
【００３７】
ブロック６０４で、上記高速接続メッセージで受信された上記端末識別子が複数の加入者端末に割り当てられるか否かが判断される。上記端末識別子が単一加入者端末に割り当てられれば、ブロック６０６で、上記帯域幅要請インデックスが上記高速接続メッセージから復号化され、上記高速接続メッセージを転送していた上記加入者端末（例えば、上記加入者端末１０２Ｅ）が上記高速接続メッセージ内の上記端末識別子を用いて識別され、そして上記高速接続メッセージで受信された上記帯域幅要請インデックスにより確認された動作が、ブロック６１０で、上記識別された加入者端末に対して遂行される。
【００３８】
上記端末識別子が上記複数の加入者端末（例えば、加入者端末１０２Ａから１０２Ｅ）に割り当てられれば、ブロック６０８で、上記端末識別子有効情報が上記高速接続メッセージから復号化され、上記高速接続メッセージと連係された上記加入者端末（例えば、加入者端末１０２Ａ）が、上記高速接続メッセージで受信された上記端末識別子と共に上記端末識別子有効情報を用いて識別される。一部の実施形態で、上記端末識別子有効情報は、上記高速接続メッセージの内の上記端末識別子が有効な時間間隔を指示する端末識別子有効オフセット（STID  validity  offset）を含む。これは、上記端末識別子有効オフセットが端末識別子の割当て時、上記加入者端末に割り当てられるということを表す。この実施形態で、上記端末識別子有効オフセットで指示された上記時間間隔の割当てを受けた上記加入者端末は、上記高速接続メッセージの転送子（sender）として識別される。上記端末識別子有効情報は、上記割り当てられた端末識別子が有効な時間間隔を指示する上記端末識別子有効オフセットの以外の異なる媒介変数（parameters）を含むことができる。ブロック６１０で、上記端末識別子により確認された帯域幅要請動作は、上記識別された加入者端末１０２Ａに対して遂行される。これは、上記端末識別子が共有される時、上記加入者端末への上記端末識別子の割当て時に上記帯域幅要請動作が予め定義されたり割り当てられたりすることを表す。
【００３９】
図６で説明された上記実施形態に従って、上記高速接続メッセージを受信すると直ちに上記基地局１０４は上記高速接続メッセージから上記端末識別子を復号化し、上記端末識別子が複数の加入者端末に割り当てられるか否かを判断する。上記端末識別子が複数の加入者端末に割り当てられれば、上記基地局１０４は上記高速接続メッセージから上記端末識別子有効情報を復号化する。上記端末識別子が単一加入者端末に割り当てられれば、上記基地局１０４は上記高速接続メッセージから上記帯域幅要請インデックスを復号化する。
【００４０】
図８は、本発明の更に他の実施形態に従う高速接続メッセージと連係された加入者端末を識別するための方法を図示するフローチャート（８００）であり、ここで、上記高速接続メッセージは、端末識別子、帯域幅要請インデックス及び／又は端末識別子有効情報を有する。ブロック８０２で、高速接続メッセージが加入者端末から受信される。一実施形態で、上記加入者端末は、上記端末識別子がその他の加入者端末と共有されるか否かに基づいて特定の高速接続メッセージを転送する。上記端末識別子が複数の加入者端末の中で共有されれば、上記高速接続メッセージは、図９Ａに示すように、端末識別子９０２、端末識別子有効情報９０４、及び帯域幅要請インデックス９０６を含む。一実施形態で、端末識別子有効情報９０４と上記帯域幅要請インデックス９０６のサイズの合計は４ビットである。上記端末識別子が単一加入者端末に割り当てられれば、上記高速接続メッセージは、図９Ｂに示すように、上記加入者端末に割り当てられた端末識別子９５２及び帯域幅要請インデックス９５４を含む。
【００４１】
ブロック８０４で、上記高速接続メッセージの内の上記端末識別子が複数の加入者端末に割り当てられるか否かを判断する。上記端末識別子が単一加入者端末に割り当てられれば、ブロック８０６で、上記帯域幅要請インデックスが上記高速接続メッセージから復号化され、上記高速接続メッセージを転送していた上記加入者端末（例えば、上記加入者端末１０２Ｆ）が上記高速接続メッセージの内の上記端末識別子を用いて識別され、上記高速接続メッセージ内の上記帯域幅要請インデックスにより確認された動作がブロック８１０で上記識別された加入者端末１０２Ｆに対して遂行される。
【００４２】
上記端末識別子が複数の加入者端末（例えば、加入者端末１０２Ａから１０２Ｅ）に割り当てられれば、ブロック８０８で、上記端末識別子有効情報及び上記帯域幅要請インデックスが上記高速接続メッセージから復号化され、上記高速接続メッセージと連係された上記加入者端末（例えば、加入者端末１０２Ａ）が上記高速接続メッセージ内の上記端末識別子と共に上記端末識別子有効情報を用いて識別される。一部の実施形態で、上記端末識別子有効情報は、上記高速メッセージ内の上記端末識別子が有効な時間間隔を指示する端末識別子有効オフセットを含む。この実施形態で、上記端末識別子有効オフセットで指示された上記時間間隔の割当てを受けた上記加入者端末が上記高速接続メッセージの転送子として識別される。ブロック８１０で、上記帯域幅要請インデックスにより確認された帯域幅要請動作が上記識別された加入者端末１０２Ａに対して遂行される。上記帯域幅要請動作は、上記連係された帯域幅要請インデックスが上記加入者端末に割り当てられる時、連結設定の間に定義される。上記端末識別子が共有される時、上記帯域幅要請動作は上記加入者端末への端末識別子割当て時に予め定義されたり割り当てられたりする。
【００４３】
図８で説明された上記実施形態に従って、上記高速接続メッセージを受信すると直ちに上記基地局１０４は上記高速接続メッセージから上記端末識別子を符号化し、上記端末識別子が複数の加入者端末に割り当てられるか否かを判断する。上記端末識別子が複数の加入者端末に割り当てられれば、上記基地局１０４は上記高速接続メッセージから上記端末識別子有効情報及び上記帯域幅要請インデックスを復号化する。上記端末識別子が単一加入者端末に割り当てられれば、上記基地局１０４は上記高速接続メッセージから上記帯域幅要請インデックスを符号化する。
【００４４】
図８で説明された上記の実施形態とは別に、上記基地局１０４は複数の加入者端末の中での特定の端末識別子を共有する。一部の実施形態で、上記基地局１０４は、‘ｎ’最上位ビット（ＭＳＢｓ）が１の端末識別子を含むＳＴＩＤsharingsetから特定の端末識別子を選択し、ここで、‘ｎ’値は上記端末識別子有効オフセットのサイズである。上記基地局１０４に高速接続メッセージを転送する時、その他の加入者端末と端末識別子を共有する加入者端末は、‘ｎ’ビットの端末識別子有効オフセット及び４ビットの帯域幅要請インデックスを有する‘１２−ｎ’ビットの端末識別子を符号化する。上記端末識別子が共有されなければ、上記加入者端末は、１２ビットの端末識別子及び４ビットの帯域幅要請インデックスを含む高速接続メッセージを転送する。また、上記端末識別子を共有する上記加入者端末により転送される上記帯域幅要請プリアンブルシーケンスと、上記端末識別子を共有しない加入者端末により転送される帯域幅要請プリアンブルシーケンスは相異する。したがって、上記基地局１０４は、上記端末識別子が共有されるか否かに対して上記帯域幅要請プリアンブルシーケンスから理解する。
【００４５】
図８で説明された上記実施形態とは別に、上記基地局１０４は複数の加入者端末の中での特定の端末識別子を共有する。一部の実施形態で、上記基地局１０４は、‘ｎ’最上位ビット（ＭＳＢｓ）が１の端末識別子を含むＳＴＩＤsharingsetから特定の端末識別子を選択し、ここで‘ｎ’値は上記端末識別子有効オフセットのサイズである。上記基地局１０４に高速接続メッセージを転送する間、その他の加入者端末と端末識別子を共有する加入者端末は、‘ｎ’ビットの端末識別子有効オフセット及び４ビットの帯域幅要請インデックスを有する‘１２−ｎ’ビットの端末識別子を符号化する。上記端末識別子が共有されなければ、上記加入者端末は、１２ビットの端末識別子及び４ビットの帯域幅要請インデックスを含む高速接続メッセージを転送する。また、上記端末識別子を共有する上記加入者端末により転送される上記帯域幅要請プリアンブルシーケンスと、上記端末識別子を共有しない加入者端末により転送される帯域幅要請プリアンブルシーケンスは相異する。したがって、上記基地局１０４は、上記端末識別子が共有されるか否かに対して上記帯域幅要請プリアンブルシーケンスから理解する。
【００４６】
上記複数の加入者端末が上記同一な端末識別子を共有する時端末識別子ヘッダ（STID  header）を有する上記帯域幅要請を転送していた上記加入者端末を識別するために、端末識別子有効オフセットを含む端末識別子ヘッダを有する新たな帯域幅要請が上記基地局に転送される。これは、端末識別子ヘッダを有する上記帯域幅要請の内の上記帯域幅要請サイズを縮めることによって達成される。例えば、上記帯域幅要請サイズは、４ビットの端末識別子有効オフセットフィールドの追加を許容するように１９ビットから１６ビットに減ることができる。端末識別子ヘッダを有する新たな帯域幅要請の内の全てのその他のフィールドは端末識別子ヘッダを有する通常的な帯域幅要請と比較してそのまま残っていると認識される。これは、端末識別子を有する上記帯域幅要請のサイズを６バイトに維持することを補助し、端末識別子ヘッダを有する上記帯域幅要請のための承認を割り当てる間、上記帯域幅要請プリアンブルシーケンスを転送していた加入者端末を上記基地局１０４が識別するように要求しない。
【００４７】
その代わりに、７バイトのサイズを有する端末識別子ヘッダを有する新たな帯域幅要請が定義される。端末識別子ヘッダを有する上記新たな帯域幅要請は、上記同一なサイズを有する端末識別子ヘッダを有する通常の帯域幅要請のフィールドとして全てのフィールドを含む。上記サイズは、端末識別子ヘッダを有する上記帯域幅要請での端末識別子有効オフセットフィールドの追加により６バイトから７バイトに増加する。この状況で、上記基地局は、上記基地局１０４が帯域幅要請プリアンブルシーケンスを受信する時、端末識別子ヘッダを有する上記帯域幅要請のために６バイトまたは７バイトを割り当てるべきか否かを判断する。これは、上記同一な端末識別子の割当てを受けていた上記加入者端末に対して区別される帯域幅要請プリアンブルシーケンスを用いることによって達成できる。その結果、上記基地局１０４は、上記帯域幅要請プリアンブルシーケンスに基づいて端末識別子ヘッダを有する上記帯域幅要請のための割当てのサイズを決定することができる。
【００４８】
図１０は、本発明の実施形態を具現するための多様な構成要素を示す基地局のブロック図である。図１０で、上記基地局１０４は、処理器（processor）１００２、メモリ１００４、読取専用メモリ（ＲＯＭ）１００６、送受信機１００８、バス１０１０、及び通信インターフェース１０１２を含む。
【００４９】
上記処理器１００２は、ここで使われたように、これに限定されるものではないが、マイクロ処理器、マイクロ制御器、複雑命令集合コンピューティングマイクロ処理器（complex  instruction  set  computing  microprocessor）、縮小された（reduced）命令集合コンピューティングマイクロ処理器、極めて長い命令語マイクロ処理器（very  long  instruction  word  microprocessor）、明示的並列命令コンピューティングマイクロ処理器（explicitly  parallel  instruction  computing  microprocessor）、グラフィック処理器（graphics  processor）、及びディジタル信号処理器のような任意の類型のコンピュータを用いた回路、またはその他の類型の処理回路を意味する。上記処理器１００２は、包括的なまたはプログラム変更式論理デバイスまたはアレイ（generic  or  programmable  logic  devices  or  arrays）、応用注文型集積回路（application  specific  integrate  circuits）、単一チップコンピュータ（single-chip  computers）、スマートカードのような内蔵型制御器（embedded  controllers）をまた含むことができる。
【００５０】
上記メモリ１００４及び読取専用メモリ１００６は、揮発性メモリまたは不揮発性メモリでありうる。上記メモリ１００４は、上記した１つ以上の実施形態に従って、加入者端末と連係された連結に帯域幅要請インデックスを割り当てるための上記帯域幅要請インデックス割当てモジュール１０５、及び高速接続メッセージ内の符号化された情報に基づいて加入者端末を識別するための加入者端末識別モジュール１０６を含む。多様なコンピュータ読取可能格納媒体（computer-readable  media）が上記メモリ構成要素（memory  elements）に格納されるか、またはこれらから接近できる。メモリ構成要素は、読取専用メモリ、等速呼出メモリ（random  access  memory）、消去及びプログラム可能読取専用メモリ（erasable  programmable  ROM）、電気的消去及びプログラム可能読取専用メモリ（electrically  erasable  programmable  ROM）、ハードディスク（hard  drive）、コンパクトディスク、ディジタルビデオディスク、ディスケット、及び磁気テープカートリッジを処理するための移動式メディアドライブ（removable  media  drive）、メモリカード、メモリスティック（Memory  SticksTM）などのようなデータ及び機械読取可能命令を格納するための任意の適合したメモリ素子（memory  device(s)）を含むことができる。
【００５１】
本発明の実施形態は、作業（tasks）を遂行するために、または抽象データ類型（abstract  data  types）または低水準ハードウェア文脈（low-level  hardware  contexts）を定義するために、機能、手続、データ構造、及び応用プログラムを含むモジュールと共に具現できる。上記帯域幅要請インデックス割当てモジュール１０５及び上記加入者端末識別モジュール１０６は、上記した格納媒体のうちのいずれか１つに機械読取可能命令語の形態に格納されることができ、上記処理器１００２により実行できる。例えば、コンピュータプログラムは、本要旨の教え（teachings）とここに説明された実施形態に従って、加入者端末と連係された連結に帯域幅要請インデックスを割り当てることができ、高速接続メッセージの内の符号化された情報に基づいて加入者端末を識別することができる機械読取可能命令語を含むことができる。一実施形態で、上記プログラムは、コンパクトディスク読取専用メモリ（ＣＤ−ＲＯＭ）に含まれることができ、上記不揮発性メモリでは上記コンパクトディスク読取専用メモリからハードディスクにローディングできる。
【００５２】
上記送受信機１００８は、割り当てられた帯域幅要請インデックスを連結設定の間に１つ以上の加入者端末に転送することができ、３段階の帯域幅要請手続の間に１つ以上の加入者端末から高速接続メッセージを受信することができる。上記バス１０１０は、上記基地局１０４の多様な構成要素を相互連結させる役割をする。上記通信インターフェース１０１２、表示部１０１４、入力素子１０１６、及びカーソル制御部１０１８のような上記構成要素は当業者によく知られており、したがって、その説明は省略する。
【００５３】
本実施形態は特定の実施形態を参照して説明された。上記多様な実施形態のより広い思想及び範囲から逸脱することなく、多様な変更または変形がこの実施形態でなされることができるということが自明である。さらに、ここで説明された上記多様な装置、モジュールは、ハードウェア回路（hardware  circuitry）、例えば、相補型金属酸化半導体基盤の論理回路（complementary  metal  oxide  semiconductor  based  logic  circuitry）、ファームウエア（firmware）、ソフトウェア、及び／又は機械読取可能媒体で具現された、ハードウェア、ファームウエア、及び／又はソフトウェアの任意の組合を用いて活性化または作動できる。例えば、上記多様な電気的な構造及び方法は、トランジスター、論理ゲート（logic  gates）、及び応用注文型集積回路のような電気的な回路を用いて具現できる。
【００５４】
本発明は例示的な実施形態を参照して説明されたが、多様な変形または変更が当業者に提案できる。本発明は、特許請求範囲に属するそのような変形または変更を含むように意図される。
【符号の説明】
【００５５】
１０２  加入者端末
１０４  基地局
１０８  ネットワーク
【図１】
0005993004.tif 000002
【図２Ａ】
0005993004.tif 000003
【図２Ｂ】
0005993004.tif 000004
【図３】
0005993004.tif 000005
【図４】
0005993004.tif 000006
【図５】
0005993004.tif 000007
【図６】
0005993004.tif 000008
【図７Ａ】
0005993004.tif 000009
【図７Ｂ】
0005993004.tif 000010
【図８】
0005993004.tif 000011
【図９Ａ】
0005993004.tif 000012
【図９Ｂ】
0005993004.tif 000013
【図１０】
0005993004.tif 000014